(57)【要約】【課題】装置の操作方法に関する知識のないユーザであっても、印刷条件の設定を直感的かつ容易に行なうことができる表示装置を提供する。【解決手段】表示装置１２において、表示部１１６は、印刷条件の設定を行なうための印刷条件設定画面を表示する。印刷条件設定画面は、画像を表示するメイン表示領域と、異なる印刷条件をそれぞれ表示する複数の印刷条件設定領域と、を含む。表示装置１２において、制御部１００は、メイン表示領域に表示される画像を複数の印刷条件設定領域のうちのいずれかに移動させることを要求する指示を受付け、受付けた指示の対象となる画像の印刷条件を、移動先の印刷条件設定領域に表示される印刷条件に設定し、通信部１１８は、デジタル複合機１４に対し、印刷条件設定画面において設定された印刷条件に基づいて印刷を実行することを命令する信号を送信する。【選択図】図１
2015181056.tif 000002
【特許請求の範囲】
【請求項１】
印刷装置に接続される表示装置であって、
前記表示装置は、
印刷条件の設定を行なうための画面を表示する表示手段を含み、
前記画面は、画像を表示するメイン表示領域と、異なる印刷条件をそれぞれ表示する複数の印刷条件設定領域と、を含み、
前記表示装置はさらに、
前記メイン表示領域に表示される画像を前記複数の印刷条件設定領域のうちのいずれかに移動させることを要求する指示を受付ける受付手段と、
前記受付手段が受付けた前記指示の対象となる画像の印刷条件を、移動先の印刷条件設定領域に表示される印刷条件に設定する設定手段と、
前記印刷装置に対し、設定された印刷条件に基づいて印刷を実行することを命令する信号を送信する送信手段と、を含む、表示装置。
【請求項２】
前記表示装置はさらに、
移動された画像のサムネイル画像を、移動先の印刷条件設定領域に表示させる表示制御手段を含む、請求項１に記載の表示装置。
【請求項３】
前記表示手段はタッチパネルを含み、
前記受付手段は、前記メイン表示領域に表示される画像を前記複数の印刷条件設定領域のうちのいずれかに移動させることを要求する指示を、前記タッチパネル上でユーザの指が描く軌跡を検出することによって受付ける、請求項２に記載の表示装置。
【請求項４】
前記表示装置はさらに、
前記サムネイル画像を、前記サムネイル画像の表示先の印刷条件設定領域を除く前記複数の印刷条件設定領域のうちのいずれかに移動させることを要求する指示を受付ける変更受付手段と、
受付けた前記指示の対象となるサムネイル画像に対応する画像の印刷条件を、移動先の印刷条件設定領域に表示される印刷条件に変更する変更手段と、を含む、請求項２又は請求項３に記載の表示装置。
【請求項５】
前記表示装置はさらに、
前記サムネイル画像を前記メイン表示領域に移動させることを要求する指示を受付ける消去受付手段と、
受付けた前記指示の対象となるサムネイル画像に対応する画像に対して設定されている印刷条件を消去する消去手段と、を含む、請求項２又は請求項３に記載の表示装置。
【請求項６】
前記表示装置はさらに、
前記印刷条件設定領域の数を設定するための数設定手段を含む、請求項１〜請求項５のいずれか１つに記載の表示装置。
【請求項７】
前記表示装置はさらに、
前記印刷装置の現在の状態を示す情報を取得する取得手段と、
前記取得手段によって取得された前記情報に基づいて、前記複数の印刷条件設定領域に表示される印刷条件を更新する更新手段と、を含む、請求項１〜請求項６のいずれか１つに記載の表示装置。
【請求項８】
前記表示装置はさらに、
領域内に表示されるサムネイル画像の数に応じて、前記サムネイル画像が表示される印刷条件設定領域の大きさを変更する大きさ変更手段を含む、請求項２〜請求項７のいずれか１つに記載の表示装置。
【請求項９】
前記表示装置はさらに、
前記サムネイル画像の向きを回転させることを要求する指示を受付ける回転受付手段と、
前記回転受付手段が受付けた前記指示に基づいて、前記指示の対象となるサムネイル画像の向きを回転させる回転手段と、
前記回転受付手段が受付けた前記指示に基づいて、前記指示の対象となるサムネイル画像に対応する画像に対して設定されている印刷の方向を変更する方向設定手段と、を含む、請求項２〜請求項８のいずれか１つに記載の表示装置。
【請求項１０】
前記送信手段は、前記印刷装置に対し、前記画面において設定された印刷条件に基づいて、同一の前記印刷条件毎に印刷を実行することを命令する信号を送信する、請求項１〜９のいずれか１つに記載の表示装置。
【請求項１１】
コンピュータを、印刷装置に接続される表示装置として機能させるコンピュータプログラムであって、当該コンピュータを、
印刷条件の設定を行なうための画面であって、画像を表示するメイン表示領域と、異なる印刷条件をそれぞれ表示する複数の印刷条件設定領域とを含む画面を表示する表示手段、
前記メイン表示領域に表示される画像を前記複数の印刷条件設定領域のうちのいずれかに移動させることを要求する指示を受付ける受付手段、
前記受付手段が受付けた前記指示の対象となる画像の印刷条件を、移動先の印刷条件設定領域に表示される印刷条件に設定する設定手段、及び、
前記印刷装置に対し、設定された印刷条件に基づいて印刷を実行することを命令する信号を送信する送信手段、として機能させる、コンピュータプログラム。
【請求項１２】
請求項１１に記載のコンピュータプログラムを記録した、コンピュータが読取可能な記録媒体。
【発明の詳細な説明】
【技術分野】
【０００１】
本発明は表示装置に関し、特には、印刷条件の設定を行なう技術に関する。
【背景技術】
【０００２】
近年、表示装置の大型化及び販売価格の下落に伴って、デジタルサイネージ事業が活発化している。デジタルサイネージとは、ネットワークに接続される電子看板等の表示装置を使って、情報を発信するシステムのことである。
【０００３】
また、デジタルサイネージに使用される表示装置と、印刷装置とを接続する技術も広く知られている。このような技術において、ユーザは、表示装置に表示される情報を見ながら、印刷条件等の設定を行なうことができる。
【０００４】
例えば、後掲の特許文献１には、ページ毎に被記録媒体の種類及びサイズ等を選択し設定する際に、ページ毎の内容を画面にサムネイル表示させる技術が開示されている。この技術によって、ユーザは、画面を見てページ内容を確認しながら、ページ内容に適した被記録媒体を選択することができる。
【先行技術文献】
【特許文献】
【０００５】
【特許文献１】特開２００５−１２５２号公報
【発明の概要】
【発明が解決しようとする課題】
【０００６】
特許文献１に開示される技術において、ユーザは、被記録媒体の選択及び設定を行なうために、パーソナルコンピュータ等の装置の操作方法に関する知識を予め取得しておく必要がある。すなわち、装置の操作方法に関する知識のないユーザは、印刷条件等の設定を容易に行なうことができない。
【０００７】
本発明の目的は、装置の操作方法に関する知識のないユーザであっても、印刷条件の設定を直感的かつ容易に行なうことができる表示装置を提供することである。
【課題を解決するための手段】
【０００８】
本発明の第１の局面に係る表示装置は、印刷装置に接続される表示装置である。この表示装置は、印刷条件の設定を行なうための画面を表示する表示手段を含む。画面は、画像を表示するメイン表示領域と、異なる印刷条件をそれぞれ表示する複数の印刷条件設定領域と、を含む。表示装置はさらに、メイン表示領域に表示される画像を複数の印刷条件設定領域のうちのいずれかに移動させることを要求する指示を受付ける受付手段と、受付手段が受付けた指示の対象となる画像の印刷条件を、移動先の印刷条件設定領域に表示される印刷条件に設定する設定手段と、印刷装置に対し、設定された印刷条件に基づいて印刷を実行することを命令する信号を送信する送信手段と、を含む。
【０００９】
これによって、ユーザは、メイン表示領域に表示される画像を複数の印刷条件設定領域のうちのいずれかに移動させることを要求する指示を出すという１つの動作だけで、指示の対象となる画像の印刷条件を、移動先の印刷条件設定領域に表示される印刷条件に設定することができる。したがって、装置の操作方法に関する知識のないユーザであっても、直感的かつ容易に印刷条件を設定することができる。
【００１０】
好ましくは、表示装置はさらに、受付手段が受付けた指示の対象となる画像のサムネイル画像を、移動先の印刷条件設定領域に表示させる表示制御手段を含む。これによって、ユーザは、印刷条件設定領域を見ることによって、どの画像にどの印刷条件が設定されているのかを容易に確認することができる。
【００１１】
より好ましくは、表示手段はタッチパネルを含み、受付手段は、メイン表示領域に表示される画像を複数の印刷条件設定領域のうちのいずれかに移動させることを要求する指示を、タッチパネル上でユーザの指が描く軌跡を検出することによって受付ける。これによって、装置の操作方法に関する知識のないユーザであっても、より一層直感的かつ容易に印刷条件を設定することができる。
【００１２】
さらに好ましくは、表示装置はさらに、サムネイル画像を、サムネイル画像の表示先の印刷条件設定領域を除く複数の印刷条件設定領域のうちのいずれかに移動させることを要求する指示を受付ける変更受付手段と、受付けた指示の対象となるサムネイル画像に対応する画像の印刷条件を、移動先の印刷条件設定領域に表示される印刷条件に変更する変更手段と、を含む。これによって、装置の操作方法に関する知識のないユーザであっても、より一層直感的かつ容易に印刷条件を変更することができる。
【００１３】
さらに好ましくは、表示装置はさらに、サムネイル画像をメイン表示領域に移動させることを要求する指示を受付ける消去受付手段と、受付けた指示の対象となるサムネイル画像に対応する画像に対して設定されている印刷条件を消去する消去手段と、を含む。これによって、装置の操作方法に関する知識のないユーザであっても、より一層直感的かつ容易に印刷条件を消去することができる。したがって、印刷のキャンセルを容易に行なうことができる。
【００１４】
さらに好ましくは、表示装置はさらに、印刷条件設定領域の数を設定するための数設定手段を含む。これによって、印刷条件の選択肢の数を任意に設定できるようになるので、ユーザの利便性が向上する。
【００１５】
さらに好ましくは、表示装置は、印刷装置の現在の状態を示す情報を取得する取得手段と、取得手段によって取得された情報に基づいて、複数の印刷条件設定領域に表示される印刷条件を更新する更新手段と、を含む。これによって、例えば、記録用紙のサイズが変更された場合及びトナー切れが生じた場合等に、実行不可能な印刷条件を設定してしまうという不具合を回避することができる。また、手動で印刷条件を変更するという手間を省くことができる。
【００１６】
さらに好ましくは、表示装置はさらに、領域内に表示されるサムネイル画像の数に応じて、サムネイル画像が表示される印刷条件設定領域の大きさを変更する大きさ変更手段を含む。これによって、ユーザが複数の画像に対して同一の印刷条件を設定したい場合においても、サムネイル画像の表示領域が不足するという不具合を回避することができる。
【００１７】
さらに好ましくは、表示装置はさらに、サムネイル画像の向きを回転させることを要求する指示を受付ける回転受付手段と、回転受付手段が受付けた指示に基づいて、指示の対象となるサムネイル画像の向きを回転させる回転手段と、回転受付手段が受付けた指示に基づいて、指示の対象となるサムネイル画像に対応する画像に対して設定されている印刷の方向を変更する方向設定手段と、を含む。これによって、装置の操作方法に関する知識のないユーザであっても、直感的かつ容易に印刷の方向を変更することができる。
【００１８】
さらに好ましくは、送信手段は、印刷装置に対し、画面において設定された印刷条件に基づいて、同一の印刷条件毎に印刷を実行することを命令する信号を送信する。これによって、印刷装置は、印刷対象の画像が複数ある場合に、同一の印刷条件が設定されている画像毎に印刷を行なうことができる。その結果、印刷条件の異なる画像を順不同に印刷する場合と比較して、省エネルギーを達成することができる。
【００１９】
本発明の第２の局面に係るコンピュータプログラムは、コンピュータを、印刷装置に接続される表示装置として機能させるコンピュータプログラムであって、当該コンピュータを、印刷条件の設定を行なうための画面であって、画像を表示するメイン表示領域、異なる印刷条件をそれぞれ表示する複数の印刷条件設定領域とを含む画面を表示する表示手段、メイン表示領域に表示される画像を複数の印刷条件設定領域のうちのいずれかに移動させることを要求する指示を受付ける受付手段、受付手段が受付けた指示の対象となる画像の印刷条件を、移動先の印刷条件設定領域に表示される印刷条件に設定する設定手段、及び、印刷装置に対し、設定された印刷条件に基づいて印刷を実行することを命令する信号を送信する送信手段、として機能させる。
【００２０】
このようなコンピュータプログラムを実行させることによって、ユーザは、メイン表示領域に表示される画像を複数の印刷条件設定領域のうちのいずれかに移動させることを要求する指示を出すという１つの動作だけで、指示の対象となる画像の印刷条件を、移動先の印刷条件設定領域に表示される印刷条件に設定することができる。したがって、装置の操作方法に関する知識のないユーザであっても、直感的かつ容易に印刷条件を設定することができる。
【００２１】
本発明の第３の局面に係る記録媒体は、上記したコンピュータプログラムを記録した、コンピュータが読取可能な記録媒体である。
【００２２】
なお、上記記録媒体としては、例えば、コンピュータ内部の主記憶又は補助記憶を構成するＲＡＭ（Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、及び、補助記憶装置としてのＨＤＤ（Ｈａｒｄ  Ｄｉｓｋ  Ｄｒｉｖｅ）等がある。
【００２３】
また、コンピュータの外部記憶装置としてプログラム読取装置が設けられ、この装置に挿入することで読取可能な記録媒体であってもよい。通常は、ＣＰＵ（Ｃｅｎｔｒａｌ  Ｐｒｏｃｅｓｓｉｎｇ  Ｕｎｉｔ）が主記憶以外の記録媒体からコンピュータプログラムを読出し、この読出されたコンピュータプログラムを主記憶装置にロードして実行する。ＣＰＵは、インストールされたコンピュータプログラムに従って所定の処理を行なうようにコンピュータの各部を統括的に制御する。プログラム読取装置で読取可能な記録媒体としては、（１）磁気テープ、及び、カセットテープ等のテープ系、（２）フレキシブルディスク（ＦＤ）、及び、ハードディスク（ＨＤ）等の磁気ディスク、又は、ＣＤ−ＲＯＭ（Ｃｏｍｐａｃｔ  Ｄｉｓｃ−Ｒｅａｄ  Ｏｎｌｙ  Ｍｅｍｏｒｙ）、ＭＯ（Ｍａｇｎｅｔｏ  Ｏｐｔｉｃａｌ  Ｄｉｓｋ）、ＭＤ（Ｍｉｎｉ  Ｄｉｓｋ）、及び、ＤＶＤ（Ｄｉｇｉｔａｌ  Ｖｅｒｓａｔｉｌｅ  Ｄｉｓｋ）等の光ディスク等のディスク系、（３）メモリカードを含むＩＣ（Ｉｎｔｅｇｒａｔｅｄ  Ｃｉｒｃｕｉｔ）カード、及び、光カード等のカード系、及び、（４）マスクＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、及び、フラッシュメモリ等の半導体メモリを含めた固定的にプログラムを記録する媒体等を例示することができる。
【００２４】
さらに、コンピュータを、インターネットを含む通信ネットワークに接続可能な構成とし、通信ネットワークからコンピュータプログラムをダウンロードするように流動的にプログラムを担持する媒体であってもよい。このように通信ネットワークからコンピュータプログラムをダウンロードする場合には、そのダウンロード用プログラムは予めコンピュータに格納しておけばよい。また、他の記録媒体からインストールされてもよい。
【発明の効果】
【００２５】
本発明によれば、ユーザは、メイン表示領域に表示される画像を複数の印刷条件設定領域のうちのいずれかに移動させることを要求する指示を出すという１つの動作だけで、指示の対象となる画像の印刷条件を、移動先の印刷条件設定領域に表示される印刷条件に設定することができる。したがって、装置の操作方法に関する知識のないユーザであっても、直感的かつ容易に印刷条件を設定することができる。
【図面の簡単な説明】
【００２６】
【図１】表示装置の構成を示すブロック図である。
【図２】デジタル複合機の構成を示すブロック図である。
【図３】印刷条件設定画面の一例を示す図である。
【図４】印刷条件設定処理を実現するためのコンピュータプログラムの制御構造をフローチャート形式で示す図である。
【図５】印刷条件設定処理を実現するためのコンピュータプログラムの制御構造をフローチャート形式で示す図である。
【図６】記録用紙のサイズ変更があった場合における印刷条件設定画面の状態の一例を示す図である。
【図７】メイン表示領域に画像が表示されたときの印刷条件設定画面の状態の一例を示す図である。
【図８】サムネイル画像が表示されている状態の印刷条件設定領域の一例を示す図である。
【図９】印刷条件の消去又は変更時における印刷条件設定画面の状態の一例を示す図である。
【図１０】印刷条件設定領域の大きさを変更する場合の様子を示す図である。
【発明を実施するための形態】
【００２７】
以下の説明及び図面においては、同一の部品には同一の参照符号及び名称を付してある。それらの機能も同様である。したがって、それらについての詳細な説明は繰返さない。
【００２８】
以下に、本発明の一実施の形態に係る表示装置１２（図１参照）について説明する。本実施の形態に係る表示装置１２は、デジタル複合機１４と接続される。ユーザは、表示装置１２を用いて、デジタル複合機１４にて実行される印刷処理における印刷条件を設定することができる。
【００２９】
〈ハードウェア構成〉
［表示装置１２］
図１を参照して、表示装置１２は、制御部１００、入力部１１４、表示部１１６、及び、通信部１１８を含む。
【００３０】
制御部１００は、実質的にコンピュータであって、ＣＰＵ１２２、ＲＯＭ１２４、及び、ＲＡＭ１２６を含む。ＣＰＵ１２２には、ＢＵＳライン１２８が接続されており、このＢＵＳライン１２８には、ＲＯＭ１２４及びＲＡＭ１２６が電気的に接続される。ＣＰＵ１２２は、デジタル複合機１４等を含む外部装置又は入力部１１４等からの指示に応じて各種コンピュータプログラムを実行することによって、表示装置１２の各部の動作及び外部装置との通信等の所望の処理を実行する。上記の各種コンピュータプログラムは、予めＲＯＭ１２４に記憶されており、所望の処理の実行時において、当該ＲＯＭ１２４から読出されてＲＡＭ１２６に転送される。ＣＰＵ１２２は、ＣＰＵ１２２内の図示しないプログラムカウンタと呼ばれるレジスタに格納された値によって指定される、ＲＡＭ１２６内のアドレスからプログラムの命令を読出し、解釈する。ＣＰＵ１２２はまた、読出された命令によって指定されるアドレスから演算に必要なデータを読出し、そのデータに対し命令に対応する演算を実行する。実行の結果も、ＲＡＭ１２６及びＣＰＵ１２２内のレジスタ等の、命令によって指定されるアドレスに格納される。
【００３１】
ＲＯＭ１２４は、表示部１１６に各種画面を表示させるための画像データ、及び、表示装置１２の一般的な動作を実現するためのコンピュータプログラム等を含む各種データを記憶する。ＲＯＭ１２４はさらに、デジタル複合機１４に対し、印刷ジョブを実行させるためのプリンタドライバプログラム（以下単に「プリンタドライバ」と記す。）を記憶する。表示装置１２は、このプリンタドライバを実行することで、後述する印刷条件設定処理等を実現する。そして、ユーザによって指定された画像データに基づく画像をデジタル複合機１４に印刷させることができる。
【００３２】
入力部１１４は、タッチパネル（図示せず。）を含む。表示部１１６は、液晶ディスプレイ（図示せず。）を含む。上記したタッチパネルと液晶ディスプレイとは重ねて構成され、ユーザに対して対話的な操作インターフェイスを提供する。すなわち、入力部１１４は、タッチパネルに対するユーザの入力操作に基づく指示を受付けて、その指示に応じた制御信号を制御部１００に対して出力する。制御部１００は、入力された指示に応じて、液晶ディスプレイに対し、指示の内容に関する情報等の各種情報を表示させる。
【００３３】
ユーザは、タッチパネル上を指でなぞることによって（以下、この操作を「ドラッグする」と記す。）、表示画像の移動等の操作を行なうことができる。制御部１００は、タッチパネル上でユーザの指が描く軌跡を検出することによって、ユーザの指示を受付けることができる。
【００３４】
入力部１１４にはさらに、表示部１１６に表示される表示画像を、ページ番号の昇順に切替えるためのページめくりボタン（図示せず。）を含む。
【００３５】
通信部１１８は、ネットワーク２０とのインターフェイスをとる。表示装置１２は、通信部１１８を介して、ネットワーク２０上に接続されるデジタル複合機１４等を含む外部装置とのデータ通信を行なう。表示装置１２は、通信部１１８を介して、設定された印刷条件にしたがって、印刷を実行することを命令する印刷指示信号を、デジタル複合機１４に対して送信することができる。表示装置１２はまた、通信部１１８を介して、ネットワーク２０上の外部装置から、表示部１１６に画像を表示させるための画像データを取得することができる。
【００３６】
表示装置１２の各部には電源（図示せず。）が接続され、この電源から電力が供給されることで、表示装置１２の各部が動作する。
【００３７】
［デジタル複合機１４］
図２を参照して、デジタル複合機１４は、制御部２００、スキャナ部２１２、プリンタ部２１４、画像処理部２１６、操作パネル２１８、通信部２２０、及び、電源制御部２２２を含む。
【００３８】
制御部２００は、実質的にコンピュータであって、ＣＰＵ２３２、ＲＯＭ２３４、ＲＡＭ２３６及びＨＤＤ２３８を含む。ＣＰＵ２３２には、ＢＵＳライン２４０が接続されており、このＢＵＳライン２４０には、ＲＯＭ２３４、ＲＡＭ２３６、及び、ＨＤＤ２３８が電気的に接続される。ＣＰＵ２３２は、操作パネル２１８等からの指示に応じて各種コンピュータプログラムを実行することによって、デジタル複合機１４の各部の動作及び表示装置１２との通信等の所望の処理を実行する。上記の各種コンピュータプログラムは、予めＲＯＭ２３４又はＨＤＤ２３８に記憶されており、所望の処理の実行時において、当該ＲＯＭ２３４又はＨＤＤ２３８から読出されてＲＡＭ２３６に転送される。ＣＰＵ２３２は、ＣＰＵ２３２内の図示しないプログラムカウンタと呼ばれるレジスタに格納された値によって指定される、ＲＡＭ２３６内のアドレスからプログラムの命令を読出し、解釈する。ＣＰＵ２３２はまた、読出された命令によって指定されるアドレスから演算に必要なデータを読出し、そのデータに対し命令に対応する演算を実行する。実行の結果も、ＲＡＭ２３６、ＨＤＤ２３８及びＣＰＵ２３２内のレジスタ等の、命令によって指定されるアドレスに格納される。
【００３９】
ＨＤＤ２３８には、電子書籍等の画像データ、及び、デジタル複合機１４の一般的な動作を実現するためのコンピュータプログラム等を含む各種データが記憶される。
【００４０】
ＢＵＳライン２４０には、さらに、スキャナ部２１２、プリンタ部２１４、画像処理部２１６、操作パネル２１８、通信部２２０、及び、電源制御部２２２が電気的に接続される。
【００４１】
スキャナ部２１２は、光源を含む原稿走査ユニット、反射ミラー、光学レンズ及びＣＣＤ（Ｃｈａｒｇｅ−Ｃｏｕｐｌｅｄ  Ｄｅｖｉｃｅ）ラインセンサ（以上いずれも図示せず。）を含む。原稿走査ユニットは、ユーザによって手動で、又は、自動原稿搬送装置（図示せず。）によって、原稿載置台（図示せず。）上に載置された原稿の画像表面に対し光源から光を照射することによって反射光像を得る。反射ミラー及び光学レンズは、得られる反射光像をＣＣＤラインセンサ上に結像させる。ＣＣＤラインセンサは、結像された反射光像を順次光電変換して画像データとして画像処理部２１６に対して出力する。
【００４２】
プリンタ部２１４は、画像メモリ２４２及び印字部２４６を含む。画像メモリ２４２は、ＲＡＭを含み、印刷データをページ単位で一時的に記憶する。画像メモリ２４２は、制御部２００等からの指示に応じて、印字部２４６に送信するための、例えば、画像処理部２１６から入力される印刷データをページ単位で一時的に記憶し、記憶した印刷データを印字部２４６による画像形成に同期して、印字部２４６に対して出力する。印字部２４６は、感光体ドラム、帯電器、ＬＳＵ（Ｌａｓｅｒ  Ｓｃａｎｎｉｎｇ  Ｕｎｉｔ）、現像装置、転写装置、クリーニング装置及び定着装置（以上いずれも図示せず。）、並びに、デジタル複合機１４に着脱自在に装着されるトナーカートリッジを含む。印字部２４６は、さらに、デジタル複合機１４に着脱自在に装着される、手差し給紙トレイ（図示せず。）、第１給紙トレイ２５０及び第２給紙トレイ２５２（図１参照）を含む。これらの給紙トレイは、この順で上下に並ぶように設置され、記録用紙を保持し、用紙搬送部（図示せず。）に記録用紙を送給する。手差し給紙トレイは、ユーザが手動により所望の記録用紙を設置するためのトレイであり、第１給紙トレイ２５０及び第２給紙トレイ２５２は、異なるサイズの記録用紙を保持するためのトレイである。印字部２４６は、制御部２００等からの指示に応じて、上記給紙トレイのいずれかから用紙搬送部を介して搬送される記録用紙上に、画像メモリ２４２から送信される印刷データに基づく画像を印刷する。
【００４３】
本実施の形態において、第１給紙トレイ２５０及び第２給紙トレイ２５２（以下、総称して「給紙トレイ２５０，２５２」と記す場合がある。）には、用紙ガイド及び用紙サイズ検知センサ（以上いずれも図示せず。）が設けられる。この用紙ガイドは、給紙トレイ２５０，２５２にセットされた記録用紙を、長さ方向及び幅方向両側から挟むようにスライド可能に設けられる。すなわち、用紙ガイドは、セットされた記録用紙の長さ方向及び幅方向のサイズに合わせて、スライド調整される。
【００４４】
用紙サイズ検知センサは、記録用紙の長さ方向及び幅方向における用紙ガイドの離間距離を検知することで、記録用紙の長さ方向及び幅方向の長さを検知する可変抵抗器（ボリューム）である。用紙サイズ検知センサは、給紙トレイ２５０，２５２にセットされた記録用紙の長さ方向及び幅方向の長さを検知すると、その検知結果を制御部２００に対して出力する。制御部２００は、入力された検知結果に基づいて、記録用紙のサイズ（例えば、日本工業規格（ＪＩＳ）によって規定されるＡＢ系サイズ等）を決定する。そして、決定した記録用紙のサイズを示す情報を表示装置１２に対して通知する。このようにして、第１給紙トレイ２５０及び第２給紙トレイ２５２上に記録用紙がセットされた際に、記録用紙のサイズが決定され、表示装置１２に対してその結果が通知される。
【００４５】
画像処理部２１６は、ＭＰＵ（Ｍｉｃｒｏ  Ｐｒｏｃｅｓｓｉｎｇ  Ｕｎｉｔ、図示せず。）を含む。画像処理部２１６は、スキャナ部２１２及び表示装置１２等から受信した画像データに対して所定の画像処理を含む各種処理を施して所定の階調の印刷データを作成し、プリンタ部２１４に対して出力する。
【００４６】
操作パネル２１８は、タッチパネル及び液晶ディスプレイ（以上いずれも図示せず。）を含む。このタッチパネル及び液晶ディスプレイは重ねて構成され、ユーザに対して対話的な操作インターフェイスを提供する。すなわち、操作パネル２１８は、タッチパネルに対するユーザの入力操作に基づく指示を受付けて、その指示に応じた制御信号を制御部２００に対して出力する。制御部２００は、入力された指示に応じて、液晶ディスプレイに対し、デジタル複合機１４の状態及び指示の内容に関する情報等を表示させる。操作パネル２１８は、さらに、電源オン指示及び電源オフ指示を入力するための電源ボタン、並びに、印刷ジョブを開始させるための印刷スタートキー等を含む各種ハードウェアキーを含む。
【００４７】
通信部２２０は、ネットワーク２０とのインターフェイスをとる。デジタル複合機１４は、この通信部２２０を介して、ネットワーク２０上の表示装置１２とデータ通信を行なうことができる。デジタル複合機１４は、通信部２２０を介して、表示装置１２から、表示装置１２にて設定された印刷条件にしたがって、印刷を実行することを命令する印刷指示信号を受信することができる。
【００４８】
電源制御部２２２は、外部電源２４８と電気的に接続される。電源制御部２２２は、デジタル複合機１４の各部の動作に必要な電力を外部電源２４８から取得し、取得した電力をデジタル複合機１４の各部に供給する。
【００４９】
デジタル複合機１４は、上述した各部を動作させることによって、操作パネル２１８からのユーザの入力操作による指示又は表示装置１２等からの指示に応じて、原稿画像を読取り記録用紙に印刷するコピーモード、画像データに基づく画像を記録用紙に印刷する印刷モード、及び、原稿画像を読取り外部装置に送信するスキャナモード等の各種のモードのいずれかを実行する。
【００５０】
［印刷条件設定画面４００］
本実施の形態において、表示装置１２の表示部１１６には、印刷条件の設定を行なうための印刷条件設定画面が表示される。図３を参照して、印刷条件設定画面４００は、メイン表示領域４０２と、印刷条件設定領域４０４Ａ〜４０４Ｄ（以下、総称する場合には「印刷条件設定領域４０４」と記す。）と、を含む。メイン表示領域４０２には、ユーザによって指定された画像データに基づく画像が表示される。表示対象の画像が複数ある場合には、ユーザは、ページめくり機能を利用して、メイン表示領域４０２の表示画像の切替えを行なうことができる。メイン表示領域４０２にはさらに、印刷指示を行なうための印刷決定ボタン４０６が表示される。
【００５１】
印刷条件設定領域４０４Ａ〜４０４Ｄには、それぞれ異なる印刷条件（本実施の形態では、記録用紙のサイズ及びコピー色）が表示される。本実施の形態において、印刷条件設定領域４０４Ａ，４０４Ｂには、例えば、デジタル複合機１４の第１給紙トレイ２５０にセットされている記録用紙のサイズを示す「Ａ３」という文字列が表示され、印刷条件設定領域４０４Ｃ，４０４Ｄには、例えば、デジタル複合機１４の第２給紙トレイ２５２にセットされている記録用紙のサイズを示す「Ａ４」という文字列が表示される。印刷条件設定領域４０４Ａ，４０４Ｃには、カラーコピーを示す「カラー印字」という文字列が表示され、印刷条件設定領域４０４Ｂ，４０４Ｄには、モノクロコピーを示す「モノクロ印字」という文字列が表示される。ユーザは、入力部１１４に対する入力操作によって、印刷条件設定領域４０４の数を予め設定することができる。この場合、印刷条件設定領域４０４に表示される印刷条件は、使用頻度の高いものから順に選択されることが好ましい。印刷条件設定領域４０４の大きさは、設定された印刷条件設定領域４０４の数に基づいて決定される。
【００５２】
〈ソフトウェア構成〉
[表示装置１２]
（印刷条件設定処理）
上記したように、ＲＯＭ１２４に記憶されるプリンタドライバの一部は、印刷条件設定処理を実行するようにプログラミングされている。この印刷条件設定処理を実現するためのプログラムは、入力部１１４に対するユーザの入力操作によって、印刷条件設定画面４００を表示させることを要求する指示がなされることによって、起動される。
【００５３】
図４を参照して、このプログラムは、表示部１１６に対し、印刷条件設定画面４００を表示させるステップ（以下単に「Ｓ」と記す。）１０００を含む。Ｓ１０００にて表示される印刷条件設定画面４００は、前回の印刷条件設定処理終了時において表示されていた画面である。
【００５４】
このプログラムはさらに、デジタル複合機１４から通知される記録用紙のサイズを示す情報に基づいて、第１給紙トレイ２５０及び第２給紙トレイ２５２に収納される記録用紙のサイズが、前回の印刷条件設定処理終了時のサイズから変更されたか否かを判定するＳ１００１と、Ｓ１００１にて変更されたと判定された場合（ＹＥＳの場合）に実行され、変更された記録用紙のサイズ情報を、印刷条件設定領域４０４に表示される情報に反映させるＳ１００２と、を含む。
【００５５】
このプログラムはさらに、Ｓ１００１にて変更されていないと判定された場合（ＮＯの場合）、又は、Ｓ１００２の処理後に実行され、入力部１１４に対する入力操作によって選択された画像データにおいて、表示対象のページが指定されたか否かを判定するＳ１００３と、Ｓ１００３にて表示対象のページが指定されたと判定された場合（ＹＥＳの場合）に実行され、メイン表示領域４０２に対し、指定されたページに対応する画像を表示させるＳ１００４と、を含む。Ｓ１００３にて、表示対象のページが指定されていないと判定された場合（ＮＯの場合）には、制御はＳ１００３に戻る。
【００５６】
このプログラムはさらに、表示画像が、メイン表示領域４０２から印刷条件設定領域４０４のいずれかにドラッグされたか否かを判定するＳ１００５と、Ｓ１００５にてドラッグされたと判定された場合（ＹＥＳの場合）に実行され、ドラッグ元のメイン表示領域４０２から、対応する表示画像を消去させるとともに、ドラッグ先の印刷条件設定領域４０４に、ドラッグされた画像のサムネイル画像を表示させることで、表示画像の印刷条件をドラッグ先の印刷条件設定領域４０４に示される条件に設定するＳ１００６と、を含む。
【００５７】
このプログラムはさらに、選択された画像データに、指定されたページとは異なる他のページがあるか否かを判定するＳ１００７と、Ｓ１００７にて、他のページがあると判定された場合（ＹＥＳの場合）に実行され、ページめくり処理を実行するＳ１００８と、を含む。Ｓ１００８におけるページめくり処理では、メイン表示領域４０２に対し、Ｓ１００３にて指定されたページの次のページに対応する画像を表示させる処理が実行される。なお、Ｓ１００３にて指定されたページが、画像データの最終ページである場合には、画像データの第１ページ目に対応する画像が表示される。
【００５８】
このプログラムはさらに、Ｓ１００５にて、表示画像が、メイン表示領域４０２から印刷条件設定領域４０４のいずれかにドラッグされていないと判定された場合（ＮＯの場合）に実行され、印刷条件設定領域４０４からメイン表示領域４０２にドラッグされたサムネイル画像があるか否かを判定するＳ１００９と、Ｓ１００９にて、ドラッグされたサムネイル画像があると判定された場合（ＹＥＳの場合）に実行され、ドラッグ元の印刷条件設定領域４０４から対応するサムネイル画像を消去させることで、ドラッグされたサムネイル画像に対して設定された印刷条件を解除するとともに、メイン表示領域４０２に対し、ドラッグされたサムネイル画像に対応する元の画像を表示させるＳ１０１０と、を含む。Ｓ１０１０の処理後、制御はＳ１００９に戻る。
【００５９】
図５を参照して、このプログラムは、Ｓ１００９にて、印刷条件設定領域４０４からメイン表示領域４０２にドラッグされたサムネイル画像がないと判定された場合（ＮＯの場合）に実行され、表示先の印刷条件設定領域４０４を除く他の印刷条件設定領域４０４のいずれかにドラッグされたサムネイル画像があるか否かを判定するＳ１０１１と、Ｓ１０１１にて、ドラッグされたサムネイル画像があると判定された場合（ＹＥＳの場合）に実行され、ドラッグ元の印刷条件設定領域４０４から、対応するサムネイル画像を消去させるとともに、ドラッグ先の印刷条件設定領域４０４に、ドラッグされたサムネイル画像を表示させることで、サムネイル画像に対応する画像に対して設定された印刷条件を変更するＳ１０１２と、を含む。
【００６０】
このプログラムはさらに、Ｓ１００７にて、他のページがないと判定された場合（ＮＯの場合）、Ｓ１００８の処理後、Ｓ１０１１にて、ドラッグされたサムネイル画像がないと判定された場合（ＮＯの場合）、又は、Ｓ１０１２の処理後に実行され、メイン表示領域４０２に表示される印刷決定ボタン４０６が押下されたか否かを判定するＳ１０１３と、Ｓ１０１３にて、印刷決定ボタン４０６が押下されたと判定された場合（ＹＥＳの場合）に実行され、デジタル複合機１４に対し、印刷条件設定画面４００において設定された印刷条件に基づいて、同一の印刷条件毎に印刷を実行することを命令する印刷指示信号を送信するＳ１０１４と、を含む。Ｓ１０１３にて、印刷決定ボタン４０６が押下されていないと判定された場合（ＮＯの場合）には、制御はＳ１００３に戻る。
【００６１】
〈動作〉
図１〜図９を参照して、本実施の形態に係る表示装置１２及びデジタル複合機１４は、表示画像の印刷時において、以下のように動作する。なお、以下の動作を除く、表示装置１２及びデジタル複合機１４の一般的な機能を実現するための動作は、従来の表示装置及びデジタル複合機の動作と同じである。以下の動作において、表示装置１２及びデジタル複合機１４は電源が投入された状態であるものとする。また、表示装置１２及びデジタル複合機１４は、観光案内所に設置されているものとする。デジタル複合機１４の第１給紙トレイ２５０にはＡ３サイズの記録用紙がセットされ、第２給紙トレイ２５２にはＡ４サイズの記録用紙がセットされているものとする。
【００６２】
ユーザは、表示装置１２の入力部１１４に対する入力操作によって、印刷条件設定画面４００（図３参照）を表示させることを要求する指示を出す。ユーザによる指示がなされると、表示部１１６には、印刷条件設定画面４００が表示される（Ｓ１０００）。このとき表示される印刷条件設定画面４００は、前回の印刷条件設定処理終了時に表示されていた画面である。
【００６３】
印刷条件設定画面４００が表示されると、制御部１００は、デジタル複合機１４から通知される記録用紙のサイズを示す情報に基づいて、第１給紙トレイ２５０及び第２給紙トレイ２５２に収納される記録用紙のサイズが、前回の印刷条件設定処理終了時のサイズから変更されたか否かを判定する（Ｓ１００１）。本実施の形態では、記録用紙のサイズ変更はなされていないものとする（Ｓ１００１にてＮＯ）。したがって、印刷条件設定領域４０４に表示されるサイズ情報の更新は行なわれない。
【００６４】
一方、記録用紙のサイズが変更されている場合（Ｓ１００１にてＹＥＳ）には、制御部１００は、変更された記録用紙のサイズ情報を、印刷条件設定領域４０４に表示される情報に反映させる（Ｓ１００２）。図６を参照して、例えば、第１給紙トレイ２５０にセットされる記録用紙のサイズが、Ａ３サイズからＢ４サイズに変更された場合には、第１給紙トレイ２５０に対応する印刷条件設定領域４０４Ａ，４０４Ｂに表示される文字列は、「Ａ３」から「Ｂ４」に変更される。
【００６５】
ユーザは、入力部１１４に対する入力操作によって、例えば、デジタル複合機１４のＨＤＤ２３８に記憶される各種データの中から、所望の画像データを選択する。本実施の形態では、地図、観光案内、及びパンフレット等に関する情報が含まれる、複数ページからなる電子書籍が選択されるものとする。電子書籍が選択されると、メイン表示領域４０２には、選択された電子書籍の第１ページ目の画像が表示される。
【００６６】
ユーザは、表示画像を確認し、入力部１１４のページめくりボタン（図示せず。）を押下することで表示画像を切替えるとともに、入力部１１４に対する入力操作によって、電子書籍において所望するページ（この場合、電子書籍の第１ページ目）を指定する。
【００６７】
図７を参照して、ユーザによって表示対象のページが指定されると（Ｓ１００３にてＹＥＳ）、メイン表示領域４０２には、指定されたページに対応する画像４０８が表示される（Ｓ１００４）。
【００６８】
ユーザは表示画像の印刷を所望し、入力部１１４に対する入力操作によって、表示画像をメイン表示領域４０２から印刷条件設定領域４０４Ｂにドラッグする（図７に示す矢符Ａ１参照）。表示画像のドラッグがなされると（Ｓ１００５にてＹＥＳ）、ドラッグ元のメイン表示領域４０２から、対応する表示画像が消去されるとともに、ドラッグ先の印刷条件設定領域４０４Ｂには、電子書籍の第１ページ目の画像のサムネイル画像４１０Ａ（図８参照）が表示される（Ｓ１００６）。これによって、電子書籍の第１ページ目の画像の印刷条件が印刷条件設定領域４０４Ｂに示される条件「Ａ３、モノクロ印字」に設定される。
【００６９】
電子書籍の第１ページ目の画像に対する印刷条件の設定後、制御部１００は、選択された画像データである電子書籍に、指定されたページとは異なる他のページがあるか否かを判定する（Ｓ１００７）。この場合、選択された電子書籍は複数ページからなるので、制御部１００は、他のページがあると判定し（Ｓ１００７にてＹＥＳ）、ページめくり処理を実行する（Ｓ１００８）。このページめくり処理によって、メイン表示領域４０２には、選択された電子書籍の第２ページ目に対応する画像が表示される。なお、選択された電子書籍が１ページのみからなる場合には（Ｓ１００７にてＮＯ）、ページめくり処理は実行されない。
【００７０】
ユーザは、表示画像の確認後、電子書籍の第２ページ目の画像の印刷を所望しないので、印刷決定ボタン４０６を押下せず（Ｓ１０１３にてＮＯ）、入力部１１４のページめくりボタンを押下することで表示画像を切替えるとともに、入力部１１４に対する入力操作によって、電子書籍において所望するページ（この場合、電子書籍の第３ページ目）を指定する。ユーザによって表示対象のページが指定されると（Ｓ１００３にてＹＥＳ）、メイン表示領域４０２には、指定されたページに対応する画像が表示される（Ｓ１００４）。
【００７１】
ユーザは表示画像の印刷を所望し、入力部１１４に対する入力操作によって、表示画像をメイン表示領域４０２から印刷条件設定領域４０４Ｂにドラッグする（図７に示す矢符Ａ１参照）。表示画像のドラッグがなされると（Ｓ１００５にてＹＥＳ）、ドラッグ元のメイン表示領域４０２から、対応する表示画像が消去されるとともに、ドラッグ先の印刷条件設定領域４０４Ｂには、電子書籍の第３ページ目の画像のサムネイル画像４１０Ｂ（図８参照）が表示される（Ｓ１００６）。これによって、電子書籍の第３ページ目の画像の印刷条件が印刷条件設定領域４０４Ｂに示される条件「Ａ３、モノクロ印字」に設定される。
【００７２】
図８を参照して、ユーザは上記した操作を再度繰返し、その結果、電子書籍の第１ページ目、第３ページ目、及び第６ページ目の画像のサムネイル画像４１０Ａ，４１０Ｂ，４１０Ｃをドラッグ先の印刷条件設定領域４０４Ｂに表示させる。これによって、電子書籍の第１ページ目、第３ページ目、及び第６ページ目の画像がモノクロ印字にてＡ３サイズの記録用紙に印刷されるように、各画像の印刷条件が設定される。電子書籍の第６ページ目の画像の印刷条件の設定後、制御部１００は、ページめくり処理を実行する（Ｓ１００７にてＹＥＳ，Ｓ１００８）。これによって、印刷条件設定領域４０４には、電子書籍の第７ページ目に対応する画像が表示される。
【００７３】
ユーザは、表示画像の確認後、印刷決定ボタン４０６を押下せず（Ｓ１０１３にてＮＯ）、入力部１１４に対する入力操作によって、電子書籍において所望するページ（この場合、電子書籍の第７ページ目）を指定する。ユーザによって表示対象のページが指定されると（Ｓ１００３にてＹＥＳ）、メイン表示領域４０２には、指定されたページに対応する画像が表示される（Ｓ１００４）。
【００７４】
図９を参照して、ユーザは、電子書籍の第７ページ目の画像に対する印刷条件の設定を行なわず（Ｓ１００５にてＮＯ）、電子書籍の第１ページ目の画像の印刷のキャンセルを所望し、入力部１１４に対する入力操作によって、サムネイル画像４１０Ａを印刷条件設定領域４０４Ｂからメイン表示領域４０２にドラッグする（矢符Ａ２参照）。サムネイル画像４１０Ａがドラッグされると（Ｓ１００９にてＹＥＳ）、ドラッグ元の印刷条件設定領域４０４Ｂから対応するサムネイル画像４１０Ａは消去され、サムネイル画像４１０Ａに対応する画像に対して設定された印刷条件が解除されるとともに、メイン表示領域４０２には、サムネイル画像４１０Ａに対応する元の画像が表示される（Ｓ１０１０）。これによって、電子書籍の第１ページ目の画像の印刷はキャンセル扱いとなる。
【００７５】
再び図９を参照して、ユーザは、電子書籍の第３ページ目の画像の印刷条件の変更を所望し、入力部１１４に対する入力操作によって、サムネイル画像４１０Ｂを、表示先の印刷条件設定領域４０４Ｂから印刷条件設定領域４０４Ｃにドラッグする（矢符Ａ３参照）。サムネイル画像４１０Ｂがドラッグされると（Ｓ１００９にてＮＯ，Ｓ１０１１にてＹＥＳ）、ドラッグ元の印刷条件設定領域４０４Ｂから、対応するサムネイル画像４１０Ｂは消去され、ドラッグ先の印刷条件設定領域４０４Ｃに、ドラッグされたサムネイル画像が表示される（Ｓ１０１２）。これによって、電子書籍の第３ページ目の画像がカラー印字にてＡ４サイズの記録用紙に印刷されるように、サムネイル画像４１０Ｂに対応する第３ページ目の画像に対して設定された印刷条件が変更される。
【００７６】
ユーザは、印刷条件設定領域４０４Ｂ，４０４Ｃに表示される印刷条件設定済みの画像に対応するサムネイル画像４１０Ａ〜４１０Ｃを確認し、メイン表示領域４０２に表示される印刷決定ボタン４０６を押下する。印刷決定ボタン４０６が押下されると（Ｓ１０１３にてＹＥＳ）、制御部１００は、通信部１１８を介して、デジタル複合機１４に対し、印刷条件設定画面４００において設定された印刷条件に基づいて、同一の印刷条件毎に印刷を実行することを命令する印刷指示信号を送信する（Ｓ１０１４）。
【００７７】
デジタル複合機１４の制御部２００は、印刷指示信号を受信すると、プリンタ部２１４に対し、印刷条件設定画面４００において設定された印刷条件に基づいて、同一の印刷条件毎に印刷を実行させる。本実施の形態では、印刷条件設定領域４０４Ａ〜４０４Ｄの順、即ち、１つの印刷条件設定領域中の全てのサムネイル画像に対応する画像の印刷が実行された後、次の印刷条件設定領域中の全てのサムネイル画像に対応する画像の印刷が実行される。この場合、電子書籍の第６ページ目の画像がモノクロ印字にてＡ３サイズの記録用紙に印刷された後、電子書籍の第３ページ目の画像がカラー印字にてＡ４サイズの記録用紙に印刷される。
【００７８】
〈作用・効果〉
上記実施の形態によれば、表示装置１２は、デジタル複合機１４に接続される。表示装置１２において、表示部１１６は、印刷条件の設定を行なうための印刷条件設定画面４００を表示する。印刷条件設定画面４００は、画像を表示するメイン表示領域４０２と、異なる印刷条件をそれぞれ表示する複数の印刷条件設定領域４０４Ａ〜４０４Ｄと、を含む。表示装置１２において、制御部１００は、メイン表示領域４０２に表示される画像を印刷条件設定領域４０４Ａ〜４０４Ｄのうちのいずれかに移動させることを要求する第１の指示を受付け、受付けた第１の指示の対象となる画像の印刷条件を、移動先の印刷条件設定領域４０４に表示される印刷条件に設定し、通信部１１８は、デジタル複合機１４に対し、印刷条件設定画面４００において設定された印刷条件に基づいて印刷を実行することを命令する信号を送信する。
【００７９】
これによって、ユーザは、メイン表示領域４０２に表示される画像を印刷条件設定領域４０４Ａ〜４０４Ｄのうちのいずれかに移動させることを要求する第１の指示を出すという１つの動作だけで、第１の指示の対象となる画像の印刷条件を、移動先の印刷条件設定領域４０４に表示される印刷条件に設定することができる。したがって、装置の操作方法に関する知識のないユーザであっても、直感的かつ容易に印刷条件を設定することができる。
【００８０】
また上記実施の形態によれば、表示装置１２において、制御部１００は、受付けた第１の指示の対象となる画像のサムネイル画像を、移動先の印刷条件設定領域４０４に表示させる。これによって、ユーザは、印刷条件設定領域４０４を見ることによって、どの画像にどの印刷条件が設定されているのかを容易に確認することができる。
【００８１】
また上記実施の形態によれば、入力部１１４はタッチパネルを含み、制御部１００は、上記した第１の指示を、タッチパネル上でユーザの指が描く軌跡を検出することによって受付ける。これによって、装置の操作方法に関する知識のないユーザであっても、より一層直感的かつ容易に印刷条件を設定することができる。なお、上記実施の形態においては、表示画像及びサムネイル画像の移動はタッチパネル上での指のドラッグ操作によってなされたが、本発明はそのような実施の形態に限定されない。例えば、入力部１１４が、マウス及びキーボードからなり、マウスによる一般的なドラッグ操作によってなされてもよい。
【００８２】
上記実施の形態によれば、表示装置１２において、制御部１００は、サムネイル画像を、サムネイル画像の表示先の印刷条件設定領域４０４を除く複数の印刷条件設定領域４０４のうちのいずれかに移動させることを要求する第２の指示を受付け、受付けた第２の指示の対象となるサムネイル画像に対応する画像の印刷条件を、移動先の印刷条件設定領域４０４に表示される印刷条件に変更する。これによって、装置の操作方法に関する知識のないユーザであっても、より一層直感的かつ容易に印刷条件を変更することができる。
【００８３】
また上記実施の形態によれば、表示装置１２において、制御部１００は、サムネイル画像をメイン表示領域４０２に移動させることを要求する第３の指示を受付け、受付けた第３の指示の対象となるサムネイル画像に対応する画像に対して設定されている印刷条件を消去する。これによって、装置の操作方法に関する知識のないユーザであっても、より一層直感的かつ容易に印刷条件を消去することができる。したがって、印刷のキャンセルを容易に行なうことができる。
【００８４】
また上記実施の形態によれば、ユーザは、入力部１１４に対する入力操作によって、印刷条件設定領域４０４の数を設定することができる。これによって、ユーザは、印刷条件の選択肢の数を任意に設定できるようになる。その結果、デジタル複合機１４において選択可能な印刷条件が多数に及ぶ場合（例えば、選択可能なコピー色として、カラー、モノクロ、及び２色刷りがあり、選択可能な記録用紙のサイズとしてＡ４、Ａ３、Ｂ５、及びＢ４があり、記録用紙の種類として、普通紙、厚紙、及び光沢紙がある場合）において、印刷条件の選択肢の数を減らすことができるので、ユーザの利便性が向上する。
【００８５】
また上記実施の形態によれば、表示装置１２において、制御部１００は、デジタル複合機１４の現在の状態を示す情報（記録用紙のサイズを示す情報）を取得し、取得した情報に基づいて、印刷条件設定領域４０４Ａ〜４０４Ｄに表示される印刷条件（サイズ情報）を更新する。なお、上記実施の形態では、デジタル複合機１４の現在の状態を示す情報として、記録用紙のサイズを示す情報が取得されたが、本発明はそのような実施の形態に限定されない。例えば、用紙切れを示す情報及びトナー切れを示す情報等が取得されてもよい。この場合、用紙切れの給紙トレイに対応する印刷条件設定領域４０４は、グレイアウト表示されることが好ましい。また、例えば、カラートナーが切れている場合には、カラーコピーに対応する印刷条件設定領域４０４は、グレイアウト表示されるか、又は、「カラー印字」という文字列が「モノクロ印字」という文字列に変更されることが好ましい。これによって、例えば、記録用紙のサイズが変更された場合及びトナー切れが生じた場合等に、実行不可能な印刷条件を設定してしまうという不具合を回避することができる。また、手動で印刷条件を変更するという手間を省くことができる。
【００８６】
また上記実施の形態によれば、通信部１１８は、デジタル複合機１４に対し、印刷条件設定画面４００において設定された印刷条件に基づいて、同一の印刷条件毎に印刷を実行することを命令する信号を送信する。これによって、デジタル複合機１４は、印刷対象の画像が複数ある場合に、同一の印刷条件が設定されている画像毎に印刷を行なうことができる。例えば、記録用紙のサイズが混在して設定されている場合には、小さいサイズの記録用紙に対する印刷をまとめて行ない、大きいサイズの記録用紙に対する印刷をまとめて行なうことができる。その結果、記録用紙の幅の違いによって定着の加熱領域が異なる場合等には、印刷条件の異なる画像を順不同に印刷する場合と比較して、省エネルギーを達成することができる。
【００８７】
〈変形例〉
なお、上記実施の形態においては、印刷条件設定領域４０４の大きさは、印刷条件設定領域４０４の数に基づいて決定されたが、本発明はそのような実施の形態に限定されない。例えば、表示装置１２において、制御部１００は、領域内に表示されるサムネイル画像の数に応じて、サムネイル画像が表示される印刷条件設定領域４０４の大きさを変更してもよい。図１０Ａを参照して、印刷条件設定領域４０４Ｂに、領域内に表示可能な最大数（１０個）のサムネイル画像が表示されている場合には、制御部１００は、図１０Ｂに示すように、印刷条件設定領域４０４Ｂの領域がより広くなるように、印刷条件設定領域４０４の大きさを変更する。これによって、ユーザが複数の画像に対して同一の印刷条件を設定したい場合においても、サムネイル画像の表示領域が不足するという不具合を回避することができる。
【００８８】
なお、上記実施の形態においては、ユーザは、表示画像及びサムネイル画像の位置を移動させることのみによって印刷条件を設定したが、本発明はそのような実施の形態に限定されない。例えば、上記方法に加えて、ユーザによるドラッグ操作によって、サムネイル画像の向きを回転させることによって、印刷の方向を設定可能であってもよい。この場合、制御部１００は、サムネイル画像の向きを回転させることを要求する指示を受付け、受付けた指示に基づいて、指示の対象となるサムネイル画像の向きを回転させるとともに、指示の対象となるサムネイル画像に対応する画像に対して設定されている印刷の方向を変更する。これによって、装置の操作方法に関する知識のないユーザであっても、直感的かつ容易に印刷の方向を、例えば、縦方向から横方向に変更することができる。
【００８９】
また上記実施の形態によれば、表示画像がメイン表示領域４０２から印刷条件設定領域４０４のいずれかにドラッグされた場合には、対応する表示画像は、ドラッグ元のメイン表示領域４０２から消去されたが、本発明はそのような実施の形態に限定されない。例えば、対応する表示画像が消去された後、次のページの画像が表示されてもよい。
【００９０】
また上記実施の形態によれば、印刷条件設定領域４０４には、印刷条件として、記録用紙のサイズ及びコピー色が表示されたが、本発明はそのような実施の形態に限定されない。例えば、印刷条件として、画像の集約数（Ｎ−ｕｐ数）、及び、解像度等が表示されてもよい。
【００９１】
今回開示された実施の形態は単に例示であって、この発明が上記した実施の形態のみに制限されるわけではない。この発明の範囲は、発明の詳細な説明の記載を参酌した上で、特許請求の範囲の各請求項によって示され、そこに記載された文言と均等の意味及び範囲内での全ての変更を含む。
【符号の説明】
【００９２】
１２  表示装置
１４  デジタル複合機
２０  ネットワーク
１００  制御部
１１４  入力部
１１６  表示部
１１８  通信部
【図１】
2015181056.tif 000003
【図２】
2015181056.tif 000004
【図３】
2015181056.tif 000005
【図４】
2015181056.tif 000006
【図５】
2015181056.tif 000007
【図６】
2015181056.tif 000008
【図７】
2015181056.tif 000009
【図８】
2015181056.tif 000010
【図９】
2015181056.tif 000011
【図１０】
2015181056.tif 000012